(57)【特許請求の範囲】
【請求項１】
ケース外周の手摺りレールやガードレール同士の接合部に、コーナートリムを配してなる冷凍・冷蔵ショーケースにおいて、
前記コーナートリムを、表面側に固定ビスが露出しない樹脂外装部品と、該樹脂外装部品の裏側に固定され、両側が樹脂外装部品よりも外側に延出している取付金具とで構成し、
この取付金具の両側延出部を、ケース外板やバンパー取付サポートに固着することによって、コーナートリムの樹脂外装部品を手摺りレールもしくはガードレール同士の接合部に取り付けたことを特徴とする冷凍・冷蔵ショーケース。
【請求項２】
ケース外周の手摺りレールやガードレール同士の接合部に、コーナートリムを配してなる冷凍・冷蔵ショーケースにおいて、
前記コーナートリムを、表面側に固定ビスが露出しない樹脂外装部品と、該樹脂外装部品の裏側に固定され、両側が樹脂外装部品よりも外側に延出している取付金具とで構成し、
このコーナートリムの取付金具の両側延出部を、ケース外板やバンパー取付サポートに固着することによって、コーナートリムの樹脂外装部品を手摺りレールもしくはガードレール同士の接合部に配置し、
且つこの手摺りレールやガードレールの端部を該樹脂外装部品のフランジ部に嵌合して、手摺りレールと樹脂外装部品の表面やガードレールと樹脂外装部品の表面が面一になるように取り付けたことを特徴とする冷凍・冷蔵ショーケース。
【発明の詳細な説明】
【０００１】
【発明の属する技術分野】
本発明は、手摺りレール同士の接合部やガードレール同士の接合部に配されるコーナートリムの固定構造を改良した冷凍・冷蔵ショーケースに関する。
【０００２】
【従来の技術】
スーパーマーケット等の食品売場では、冷凍食品や冷蔵食品の陳列に、外周に開口を有するアラウンドショーケースや、上部に開口を有する平型ショーケースなどが、広く用いられている。
【０００３】
これらのショーケースにおいては、図６に示すように、手摺りレール２２ａ、２２ｂ同士の接合部、及びガードレール２３ａ，２３ｂ同士の接合部に、コーナートリム２４，２５を配備しているが、長手レールの上に被せて固定する構造のため、固定用ビス２４ａ，２４ｂ，２５ａ，２５ｂが表面に露出してしまい、美観を損ねていた。
【０００４】
【発明が解決しようとする課題】
そのため、本出願人は、特開平１０−１２７４３６号の平型オープンショーケースの手摺りレール接合構造において、手摺りレールとコーナートリムを凹凸なく、しかも固定用ビスが表面に現れることなく、コーナージョイント部材から上方のコーナートリム及び手摺りレールに固定用ビスを取り付ける技術を提案した。
しかしながら、特開平１０−１２７４３６号の技術は、コーナートリムに手摺りレールを嵌め込み、井桁状に組み立ててからでないとケースに取り付けられなかったため、組立工数が多くかかり、また、コーナージョイント部材の形状に難があり、強度も弱かった。
【０００５】
一方、全て樹脂製として、固定用ビスが内側に隠れる構造のコーナートリムも考えられるが、固定部分の形状が複雑になるため、金型制作費が高くかかってしまう他、金型製作技術（精度）の要求も厳しく、実用的ではなかった。
【０００６】
本発明は、上記の点に鑑み創案されたもので、その目的は、組立工数が大幅に削減され、強度も強く、金型製作費も比較的安価に済み、表面に固定ビスが出ずに見栄えの良いコーナートリムを備えた冷凍・冷蔵ショーケースを提供するにある。
【０００７】
【課題を解決するための手段】
上記の課題を解決するため、本発明においては、ケース外周に手摺りレールもしくはガードレールを配備し、その手摺りレールもしくはガードレール同士の接合部に、コーナートリムを配してなる冷凍・冷蔵ショーケースにおいて、前記コーナートリムを、表面側に固定ビスが露出しない樹脂外装部品と、該樹脂外装部品の裏側に固定され、両側が樹脂外装部品よりも外側に延出している取付金具とで構成し、この取付金具の両側延出部を、ケース外板又はバンパー取付サポートに固着することによって、このコーナートリムの樹脂外装部品を手摺りレールもしくはガードレール同士の接合部に位置させて取り付けたことを特徴とする。
そして、この取り付けの際、取付金具の延出部は、手摺りレールもしくはガードレールによって覆われて隠される。即ち、手摺りレールもしくはガードレールの端部を該樹脂外装部品のフランジ部に嵌合して、手摺りレールと樹脂外装部品又はガードレールと樹脂外装部品の表面が面一になるように取り付けると良い。
【０００８】
上記構成を採用したことにより、コーナートリムを手摺りレール接合部及びガードレール接合部に、上から被せる方式としたため、特開平１０−１２７４３６号と比較して、取付工数が大幅に軽減された。また、樹脂外装部品を取り付ける取付金具の形状の違いにより、特開平１０−１２７４３６号と比較して、強度が増した。
【０００９】
【発明の実施の形態】
以下、本発明の好ましい実施の形態を図面に基づいて詳細に説明する。
図１は手摺りレールの接合部のコーナートリムの取付状況及びガードレール接合部のコーナートリムの取付状況を示す分解斜視図、図２は手摺りレールの接合部のコーナートリムの取付状況を示す斜視図、図３は手摺りレールのコーナートリムの裏側の分解斜視図、図４はガードレールの接合部のコーナートリムの取付状況を示す斜視図、図５はガードレールのコーナートリムの裏側の分解斜視図である。
【００１０】
本実施形態のショーケースはアラウンドショーケースで、ケース外周の三面（勿論二面や四面でも良い）に、手摺りレール１ａ，１ｂ（図２参照）やガードレール２ａ，２ｂ（図４参照）を配し、その手摺りレール１ａ，１ｂ同士の接合部にコーナートリム３を、そのガードレール２ａ，２ｂ同士の接合部にコーナートリム４を配している。
【００１１】
そして、本実施形態における冷凍・冷蔵ショーケースのコーナートリム３，４の取付状況は、図１乃至図５に示すように、次のようになっている。
まず、手摺りレール１ａ，１ｂ同士の接合部に取り付られるコーナートリム３は、図１及び図３に示すように、その樹脂外装部品３ａの裏側に、両側が該樹脂外装部品３ａより外側に延出した取付金具３ｂを、ネジ５ａ，５ｂ，５ｃにより固着して形成されている。このコーナートリム３は、その取付金具３ｂの両側の延出部の孔にネジ６ａ，６ｂ，６ｃ，６ｄを通してケース外板７に取り付けられる。そして、コーナートリム３のケース外板７への取付けの後、手摺りレール１ａ，１ｂを樹脂外装部品３ａのフランジ部３ｃ，３ｃに嵌め込んで、組付けを完了する。
【００１２】
次に、ガードレール２ａ，２ｂ同士の接合部に取り付けられるコーナートリム４も同様に、図１及び図５に示すように、その樹脂外装部品４ａの裏側に、両側が該樹脂外装部品４ａよりも外側に延出した取付金具４ｂを、ネジ８ａ，８ｂ，８ｃにより固着して形成されている。そして、このコーナートリム４は、その取付金具４ｂの両側の延出部の孔にネジ９ａ，９ｂ，９ｃ，９ｄ及びネジ１０ａ，１０ｂ，１０ｃ，１０ｄを通して、バンパー取付サポート１１，１１に取り付けられる。
そして、コーナートリム４のバンパー取付サポート１１，１１への取付けの後、ガードレール２ａ，２ｂを樹脂外装部品４ａのフランジ部４ｃ，４ｃに嵌め込んで、組付けを完了する。
【００１３】
このように、樹脂外装部品４ａと取付金具４ｂとからなるコーナートリム４を、手摺りレール１ａ，１ｂ同士やガードレール２ａ，２ｂ同士の接合部に配備すると、固定ネジがコーナートリム４の表面に現れないすっきりした見栄えのよいショーケースになると共に、組付けが簡単で、且つ強度が高く、金型費がそれほどかからないショーケースとすることができる。
また、この取り付けの際、手摺りレール１ａ，１ｂやガードレール２ａ，２ｂの端部を該樹脂外装部品４ａのフランジ部４ｃに嵌合して、手摺りレールと樹脂外装部品、ガードレールと樹脂外装部品の表面が面一になるように取り付ける。
【００１４】
【発明の効果】
以上説明したように、本発明のコーナートリム取付構造を有する冷凍・冷蔵ショーケースによれば、次のような効果を奏する。
（１）コーナートリムをそれぞれ手摺りレール接合部やガードレール接合部に、上から被せて取付金具で固定し、手摺りレールやガードレールの端部を樹脂外装部品のフランジ部に嵌め込んで取り付ける構造としたので、従来の特開平１０−１２７４３６号と比較して、組付工数が大幅に軽減される。
（２）樹脂外装部品を取り付ける取付金具の形状の違いにより、従来の特開平１０−１２７４３６号と比較して、強度が強くなった。
（３）一体に形成すると形状が複雑になる固定部分を分離して、金型費も安く、強度も高い板金の取付金具とし、そこに樹脂外装部品を固着する構造としたので、従来構造のものと比較して、安価に製作できる。
（４）コーナートリムの固定用のビスが表面に現れないので、すっきりしたデザインとなって、見栄えがよい。
【図面の簡単な説明】
【図１】手摺りレールの接合部のコーナートリムの取付状況及びガードレール接合部のコーナートリムの取付状況を示す分解斜視図である。
【図２】手摺りレールの接合部のコーナートリムの取付状況を示す斜視図である。
【図３】手摺りレールの接合部のコーナートリムの裏側の分解斜視図である。
【図４】ガードレール接合部のコーナートリムの取付状況を示す斜視図である。
【図５】ガードレール接合部のコーナートリムの裏側の分解斜視図である。
【図６】従来の手摺りレールの接合部のコーナートリムの取付状況及びガードレール接合部のコーナートリムの取付状況を示す斜視図である。
【符号の説明】
１ａ，１ｂ  手摺りレール
２ａ，２ｂ  ガードレール
３  コーナートリム（手摺りレール用）
３ａ  樹脂外装部品
３ｂ  取付金具
４  コーナートリム（ガードレール用）
４ａ  樹脂外装部品
４ｂ  取付金具
５ａ，５ｂ，５ｃ  ネジ
６ａ，６ｂ，６ｃ，６ｄ  ネジ
７  ケース外板
８ａ，８ｂ，８ｃ  ネジ
９ａ，９ｂ，９ｃ，９ｄ  ネジ
１０ａ，１０ｂ，１０ｃ，１０ｄ  ネジ
１１  バンパー取付サポート
【図１】
0004203933.tif 000002
【図２】
0004203933.tif 000003
【図３】
0004203933.tif 000004
【図４】
0004203933.tif 000005
【図５】
0004203933.tif 000006
【図６】
0004203933.tif 000007